(57)【要約】【課題】吸収体の低坪量部から排泄物が漏れにくい吸収性物品を提供すること。【解決手段】吸収性物品は、吸収性コア４と、吸収性コア４の肌対向面側に配され且つ肌対向面に凹凸構造を有する表面シート２とを備える。吸収性コア４は、一方向に延び且つ該吸収性コア４の他の部位よりも相対的に坪量の低い一又は複数の低坪量部４１を有する。平面視において、表面シート２は、低坪量部４１と重なる領域に、大きさの異なる複数種の凸部２４を有している。【選択図】図１
2020054500.tif 000002
【特許請求の範囲】
【請求項１】
吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品。
【請求項２】
前記吸収性物品が着用者の前後方向に対応する長手方向及び該長手方向と直交する幅方向を有しており、
相対的に大きい凸部が幅方向の中央に相対的に小さい凸部が幅方向の両外側に位置している、請求項１に記載の吸収性物品。
【請求項３】
前記吸収性物品が着用者の前後方向に対応する長手方向及び該長手方向と直交する幅方向を有しており、
相対的に大きい凸部が長手方向の中央に相対的に小さい凸部が長手方向の両外側に位置している、請求項１に記載の吸収性物品。
【請求項４】
前記吸収性物品が着用者の前後方向に対応する長手方向及び該長手方向と直交する幅方向を有しており、
幅方向の外方側に位置する凸部の幅方向の長さが、幅方向の中央側に位置する凸部の幅方向の長さよりも短くなっている、請求項１に記載の吸収性物品。
【請求項５】
前記低坪量部が長手方向に延びている、請求項４に記載の吸収性物品。
【請求項６】
前記低坪量部が幅方向に延びている、請求項４に記載の吸収性物品。
【請求項７】
前記吸収性物品が着用者の前後方向に対応する長手方向及び該長手方向と直交する幅方向を有しており、
前記低坪量部が長手方向に延びており、
前記表面シートは、前記低坪量部と重なる領域に、大きさの異なる複数種の前記凸部を有し、
長手方向の外方側に位置する凸部の長手方向の長さが、長手方向の中央側に位置する凸部の長手方向の長さよりも短くなっている、請求項１に記載の吸収性物品。
【請求項８】
前記吸収性物品が着用者の前後方向に対応する長手方向及び該長手方向と直交する幅方向を有しており、
前記表面シートは、幅方向中央であって且つ長手方向に延びる中央域と、該中央域に隣接し且つ長手方向に延びる一対の側部域を有しており、
前記中央域に設けられた前記凸部の幅方向の長さは、前記側部域に設けられた前記凸部の幅方向の長さよりも長く、
前記吸収性コアが、前記幅方向に間隔を空けて、長手方向に延びる一対の前記低坪量部を有し、
前記一対の低坪量部間の距離は、長手方向中央部よりも長手方向端部の方が長く、
長手方向中央部における一対の前記低坪量部間の距離をＡとし、長手方向端部における一対の前記低坪量部間の距離をＣとし、前記中央域の幅をＢとしたとき、Ａ＜Ｂ＜Ｃの関係になる、請求項１〜７の何れか１項に記載の吸収性物品。
【請求項９】
前記吸収性コアが、互いに交差しない複数の低坪量部を有し、該低坪量部が第１の低坪量部及び第２の低坪量部を有し、
前記第１の低坪量部に位置する前記凸部の幅方向の長さと前記第２の低坪量部に位置する前記凸部の幅方向の長さが異なる、請求項１に記載の吸収性物品。
【請求項１０】
前記表面シートが、着用状態において、着用者の肌側に位置する上層不織布と、着用者の肌から遠い側に位置する下層不織布とを接合した積層構造からなり、
前記凸部は、前記上層不織布が、該上層不織布と前記下層不織布とを接合する接合部以外の部位において該下層不織布から離間するように突出して形成されており、
相対的に大きな前記凸部を囲む前記接合部の総面積が、相対的に小さな前記凸部を囲む前記接合部の総面積よりも大きい、請求項１〜９の何れか１項に記載の吸収性物品。
【発明の詳細な説明】
【技術分野】
【０００１】
本発明は吸収性物品に関する。
【背景技術】
【０００２】
従来、吸収体における排泄位置から排泄物を拡散させる目的で、吸収体に長手方向又は幅方向に延びるスリット等の低坪量部を設けることが知られている。例えば特許文献１には、長手方向に延びる幅のあるスリットを有する吸収体と、凸部を有する表面シートとを備え、表面シートにおける吸収体のスリット内に落ち込んだ部分に凸部を配置している吸収性物品が記載されている。
【０００３】
これとは別の技術として、本出願人は先に、使い捨ておむつ等の吸収性物品に用いる表面シートとして、中央域と該中央域に隣接する一対の側部域とにおいて、接合部の形状及び配置パターンを異ならせ、中央域の凸部の形状と側部域の凸部の形状とを異ならせている表面シートを提案した（特許文献２参照）。
【先行技術文献】
【特許文献】
【０００４】
【特許文献１】特開２０１７−０６０６３３号公報
【特許文献２】特開２０１７−０９３７４８号公報
【発明の概要】
【発明が解決しようとする課題】
【０００５】
特許文献１に記載の技術は、凸部を有する表面シートをスリット内に落ち込ませ、該凸部によってスリット内の空間の潰れを抑制して、スリットによる液の拡散効果を維持して液漏れを防止しようとするものである。しかし、この技術によっても液漏れの確実な防止は容易でない。特許文献２に記載の技術では、表面シートを吸収体のスリット内に落ち込ませて液漏れを防止することについて検討されていない。
【０００６】
したがって本発明の課題は、排泄物の漏れが防止された吸収性物品を提供することにある。
【課題を解決するための手段】
【０００７】
本発明は、吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品を提供するものである。
【発明の効果】
【０００８】
本発明によれば、吸収性コアに形成された低坪量部に排泄物が誘導されやすく、且つ低坪量部内に誘導された排泄物が低坪量部外に漏れ出すことが抑制されるので、排泄物の漏れを一層確実に防止し得る吸収性物品が提供される。
【図面の簡単な説明】
【０００９】
【図１】図１は、本発明に用いられる表面シート及び吸収性コアの一実施形態を示す平面図である。
【図２】図２は、図１におけるＩＩ−ＩＩ線断面図である。
【図３】図３は、図１における一方の側部域の低坪量部が体液を吸収した状態の拡大断面図である。
【図４】図４は、本発明に用いられる表面シート及び吸収性コアの別の実施形態を示す平面図である。
【図５】図５は、図４における一方の端部域の低坪量部が体液を吸収した状態の拡大断面図である。
【図６】図６は、本発明に用いられる表面シート及び吸収性コアの更に別の実施形態を示す平面図である。
【図７】図７（ａ）〜（ｃ）は、本発明に用いられる表面シート及び吸収性コアのまた別の実施形態を示す平面図である。
【図８】図８（ｄ）〜（ｇ）は、本発明に用いられる表面シート及び吸収性コアのまた別の実施形態を示す平面図である。
【発明を実施するための形態】
【００１０】
以下本発明を、その好ましい実施形態に基づき図面を参照しながら説明する。本発明の吸収性物品は一般に、着用者の腹側から股間部を介して背側に延びる前後方向に相当する長手方向とこれに直交する幅方向とを有する縦長の形状をしている。吸収性物品は、着用者の股間部に配される股下部並びにその前後に延在する腹側部及び背側部を有する。股下部は、吸収性物品の着用時に着用者の排泄部に対向配置される排泄部対向部を有しており、該排泄部対向部は通常、吸収性物品の長手方向の中央部又はその近傍に位置している。
【００１１】
吸収性物品は一般に、着用者の肌対向面側に位置する表面シートと、非肌対向面側に位置する裏面シートと、両シート間に介在配置された吸収体とを備える。肌対向面とは、吸収性物品の着用時に着用者の肌側に向けられる面、即ち相対的に着用者の肌に近い側であり、非肌対向面は、吸収性物品の着用時に肌側とは反対側に向けられる面、即ち相対的に着用者の肌から遠い側である。
【００１２】
本発明で用い得る表面シートは、肌当接面に複数の凸部を有するものである。その詳細については後述する。本発明で用い得る裏面シートとしては、例えば液難透過性のフィルムやスパンボンド・メルトブローン・スパンボンド積層不織布などが挙げられる。液難透過性のフィルムに、複数の微細孔を設け、該フィルムに水蒸気透過性を付与してもよい。吸収性物品の肌触り等を一層良好にする目的で、裏面シートの外面に不織布等の風合いの良好なシートを積層してもよい。
【００１３】
本発明で用い得る吸収体は吸収性コアを備えている。吸収性コアは例えばパルプを始めとするセルロース等の親水性繊維の積繊体、該親水性繊維と吸収性ポリマーとの混合積繊体、吸収性ポリマーの堆積体、２枚の吸収性シート間に吸収性ポリマーが担持された積層構造体などから構成される。吸収性コアは、少なくともその肌対向面が液透過性のコアラップシートで覆われていてもよく、あるいは肌対向面及び非肌対向面を含む表面の全域がコアラップシートで覆われていてもよい。コアラップシートとしては、例えば親水性繊維からなる薄葉紙や、液透過性を有する不織布などを用いることができる。吸収性コアの詳細については後述する。
【００１４】
上述の表面シート、裏面シート及び吸収体に加え、吸収性物品の具体的な用途に応じ、肌対向面側の長手方向に沿う両側部に、長手方向に沿って延びる防漏カフが配される場合がある。防漏カフは一般に、基端部と自由端とを備えている。防漏カフは、吸収性物品の肌対向面側に基端部を有し、肌対向面側から起立している。防漏カフは、液抵抗性ないし撥水性で且つ通気性の素材から構成されている。防漏カフの自由端又はその近傍には、糸ゴム等からなる弾性部材を伸長状態で配してもよい。吸収性物品の着用状態においてこの弾性部材が収縮することによって、防漏カフが着用者の身体に向けて起立するようになり、表面シート上に排泄された液が、表面シート上を伝い吸収性物品の幅方向外方へ漏れ出すことが効果的に阻止される。
【００１５】
吸収性物品は更に、非肌対向面の表面に粘着剤層を有していてもよい。粘着剤層は、吸収性物品の着用状態において、該吸収性物品を、下着や別の吸収性物品に固定するために用いられる。
【００１６】
以上の構成を有する吸収性物品としては、例えば展開型の使い捨ておむつ、パンツ型の使い捨ておむつ、生理用ナプキン、失禁パッド等が挙げられるが、これらに限られない。
【００１７】
図１及び図２には、本発明の吸収性物品に用いられる表面シート及び吸収性コアの一例が示されている。同図は、吸収性コア４の肌対向面側に、凹凸構造を有する表面シート２が配されている状態を示している。吸収性コア４は、長手方向Ｘに長い矩形状のものや長手方向Ｘに沿う両側部が幅方向Ｙ内方に括れているもの、好適には、股下領域に位置する長手方向Ｘの中央部が内方に括れた砂時計状で且つ長手方向Ｘに長い縦長の形状のものである。吸収性コア４は、一方向に延び且つ該吸収性コア４の他の部位よりも相対的に坪量の低い複数の低坪量部４１を有している。低坪量部４１の坪量はゼロでもよい。低坪量部４１の周囲は、低坪量部４１よりも坪量が相対的に高い高坪量部４０になっている。低坪量部４１の肌対向面は、高坪量部４０の肌対向面よりも低い位置にある。つまり、吸収性コア４の肌対向面においては、高坪量部４０と低坪量部４１との間に段差が生じている。したがって、吸収性コア４の肌対向面は凹凸構造になっている。
【００１８】
低坪量部４１は、着用者の排泄部に対向配置される排泄部対向部に配されることが好ましい。また低坪量部４１は、吸収性コア４の幅方向Ｙの中央に位置し且つ長手方向Ｘに延びる中央低坪量部４２と、中央低坪量部４２から幅方向Ｙの左右外方に位置し且つ長手方向Ｘに延びる一対の側部低坪量部４３，４３を備えていることが好ましい。
【００１９】
図１に示すとおり、中央低坪量部４２は、両側縁が平行であり、一定の幅をもって長手方向Ｘに沿って延びている。一方、各側部低坪量部４３に関しては、２つの側縁のうち、幅方向Ｙの外方に位置する側縁は、長手方向Ｘに沿って直線状に延びている一方、幅方向Ｙの内方に位置する側縁は、幅方向の内方に向けた凸の弧を描く曲線となっている。したがって、２つの側部低坪量部４３，４３は、それらの間の距離が、長手方向Ｘの中央部よりも長手方向Ｘの端部の方が長くなっている。
【００２０】
表面シート２は、図２に示すとおり、着用者の肌側に位置する上層不織布２１と、着用者の肌から遠い側に位置する下層不織布２２とを複数の接合部２３において互いに接合した積層構造となっている。上層不織布２１は、接合部２３以外の部位において下層不織布２２から離れる方向に突出する凸部２４を多数形成している。その結果、表面シート２の肌対向面を形成する上層不織布２１には、起伏のある凹凸構造が形成されている。一方、表面シート２における非肌対向面は略平坦である。
【００２１】
図２に示すとおり、凸部２４は、上層不織布２１における複数の接合部２３どうし間に位置する部分が、凸状に隆起して形成されている。凸部２４の内部には表面シート２の形成材料が充填されておらず空間が形成されている。つまり凸部２４は中空のものである。隣り合う凸部２４間に位置する接合部２３は、凹凸構造を有する表面シート２の凹部２５の底部を形成している。接合部２３は一般に、重ねあわされた状態の上層不織布２１及び下層不織布２２を、熱を伴うか又は伴わないエンボス加工をすることによって形成されるか、又は超音波エンボス加工をすることによって形成される。
【００２２】
表面シート２は、図１及び図２に示すとおり、中央域２Ｃ及び該中央域２Ｃの両側に位置する一対の側部域２Ｓ，２Ｓから構成されている。中央域２Ｃは、幅方向Ｙの中央部に位置し、且つ長手方向Ｘに沿って延びている。一対の側部域２Ｓ，２Ｓは、中央域２Ｃに隣接し、且つ長手方向Ｘに沿って延びている。側部域２Ｓは、例えば、吸収性物品に防漏カフが配される場合には、該防漏カフを形成するサイドシートと重なる位置と略一致していることが好ましい。
【００２３】
表面シート２に形成されている凸部２４は、大きさの異なる複数種からなる。「凸部の大きさが異なる」とは、凸部の高さが異なるか、凸部の平面視での面積が異なるか、又はそれら両者が異なるかのいずれかを意味する。図１に示すとおり、表面シート２は、中央域２Ｃに配された複数の第１凸部２４１と、側部域２Ｓに配された複数の第２凸部２４２とを有している。第１凸部２４１と第２凸部２４２とは高さ及び平面視での面積が異なっている。詳細には、第１凸部２４１の高さが、第２凸部２４２の高さよりも高くなっている。また第１凸部２４１の平面視での面積が、第２凸部２４２の平面視での面積よりも大きくなっている。第１凸部２４１は、中央域２Ｃの肌対向面の全域にわたって散点状に且つ規則的に配されている。一方、第２凸部２４２は、側部域２Ｓの肌対向面の全域にわたって散点状に且つ規則的に配されている。
【００２４】
図１に示すとおり、表面シート２において、中央域２Ｃと側部域２Ｓとの境界ＩＬは、吸収性コア４に形成された各側部低坪量部４３における幅方向Ｙの内方に位置する曲線状の側縁と２箇所の交点Ｐ１，Ｐ１で交差している。したがって、表面シート２は、これを平面視したとき、側部低坪量部４３と重なる領域に、大きさの異なる２種の凸部である第１凸部２４１と第２凸部２４２とを有している。側部低坪量部４３と重なる領域には、個々の第１凸部２４１の全体又は一部が存在しており、同様に個々の第２凸部２４２の全体又は一部が存在している。
【００２５】
また表面シート２は、これを平面視したとき、中央低坪量部４２と重なる領域に、第１凸部２４１のみを有している。中央低坪量部４２と重なる領域には、個々の第１凸部２４１の全体又は一部が存在している。
【００２６】
吸収性コア４の低坪量部４２，４３と、表面シート２の凸部２４１，２４２が上述の関係で配置されていることによって、本実施形態の吸収性物品によれば、吸収性コア４に形成された低坪量部に排泄物が誘導されやすく、且つ低坪量部内に誘導された排泄物が低坪量部外に漏れ出すことが抑制されるという有利な効果が奏される。このことを、図３を参照しながら説明する。図３は、側部低坪量部４３の位置において吸収性コア４が排泄物を吸収して膨潤した状態を示している。この状態においては、吸収性コア４の膨潤に起因して、側部低坪量部４３上に位置する表面シート２が、吸収性コア４の肌対向面に沿うように変形する。その結果、側部低坪量部４３によって画成される凹状の空間内に、表面シート２の凸部が位置するようになる。先に述べたとおり、表面シート２のうち、側部低坪量部４３と重なる領域には、第１凸部２４１及び第２凸部２４２が存在しているので、図３に示す状態においては、側部低坪量部４３によって画成される凹状の空間内に第１凸部２４１及び第２凸部２４２が存在することとなる。先に述べたとおり、第１凸部２４１と第２凸部２４２とではそれらの大きさが異なるので、そのことに起因して、側部低坪量部４３によって画成される凹状の空間内に存在する第１凸部２４１及び第２凸部２４２は、それらの存在形態が相違する。
【００２７】
詳細には、図３に示すとおり、相対的に大きさの大きい第１凸部２４１は、相対的に緩やかな傾斜をもって凹状の空間内に存在する。これとは対照的に、相対的に大きさの小さい第２凸部２４２は、相対的に急峻な傾斜をもって凹状の空間内に存在する。このように、第１凸部２４１と第２凸部２４２とで傾斜の程度に差異があることで、側部低坪量部４３によって画成される凹状の空間内への排泄物の誘導が首尾よく行われるとともに、該空間からの排泄物の漏れ出しが効果的に抑制される。その理由は以下に述べるとおりである。
【００２８】
上述のとおり第１凸部２４１は、相対的に緩やかな傾斜をもって凹状の空間内に存在する。この緩やかな傾斜に沿って排泄物は円滑に凹状の空間内へ誘導される。しかし、傾斜が緩やかなことは、逆の見方をすれば、該空間内に位置する排泄物が該空間外へ漏れ出す原因となる。しかし本実施形態においては、凹状の空間内に、相対的に急峻な傾斜をもって第２凸部２４２も存在しているので、該空間内に位置する排泄物の該空間外への漏れ出しが第２凸部２４２によって効果的に阻止される。
【００２９】
以上の効果を一層顕著なものとする観点から、側部低坪量部４３を幅方向Ｙに沿って見たときに、相対的に小さい第２凸部２４２が幅方向Ｙの外方側に位置し、且つ相対的に大きい第１凸部２４１が幅方向Ｙの中央側に位置することが好ましい。特に本実施形態においては、第１凸部２４１の高さ及び平面視での面積が第２凸部２４２の高さ及び平面視での面積より大きくなっている。そして、図３に示す実施形態では、第２凸部２４２の幅方向の長さが第１凸部２４１の幅方向の長さより短い。このような構成を採用することで、吸収性コア４における幅方向中央部付近に排泄された排泄物が円滑に側部低坪量部４３によって画成される凹状の空間内に誘導されるとともに、該空間内に誘導された排泄物が、吸収性コア４の幅方向外方から漏れ出しにくくなる。
【００３０】
幅方向Ｙ外方への漏れ防止効果を一層奏し易くする観点から、１つの低坪量部４１である側部低坪量部４３に着目したとき、側部低坪量部４３と重なる領域に位置する第１凸部２４１及び第２凸部２４２に関し、第１凸部２４１の幅方向Ｙの長さは、好ましくは２ｍｍ以上、更に好ましくは４ｍｍ以上であり、また好ましくは１５ｍｍ以下、更に好ましくは１０ｍｍ以下である。一方、第２凸部２４２の幅方向Ｙの長さは、好ましくは１ｍｍ以上、更に好ましくは２ｍｍ以上であり、また好ましくは１０ｍｍ以下、更に好ましくは５ｍｍ以下である。低坪量部４１の幅方向Ｙの長さのうちの最も広い長さは、好ましくは７ｍｍ以上、更に好ましくは１０ｍｍ以上であり、また好ましくは４０ｍｍ以下、更に好ましくは２０ｍｍ以下である。
【００３１】
また、同様の観点から、図１に示すとおり、長手方向Ｘ中央部における一対の側部低坪量部４３，４３間の距離をＡとし、長手方向Ｘ端部における一対の側部低坪量部４３，４３間の距離をＣとし、中央域２Ｃの幅をＢとしたとき、Ａ＜Ｂ＜Ｃなる関係が成立することが好ましい。
距離Ａは、好ましくは１０ｍｍ以上、更に好ましくは１５ｍｍ以上であり、また好ましくは５０ｍｍ以下、更に好ましくは３０ｍｍ以下である。
距離Ｃは、好ましくは４０ｍｍ以上、更に好ましくは５０ｍｍ以上であり、また好ましくは８０ｍｍ以下、更に好ましくは６０ｍｍ以下である。
幅Ｂは、好ましくは２０ｍｍ以上、更に好ましくは３０ｍｍ以上であり、また好ましくは８０ｍｍ以下、更に好ましくは６０ｍｍ以下である。
【００３２】
また、中央域２Ｃにおける中央低坪量部４２と重なる領域以外の領域での排泄物の拡散性を向上させる観点から、中央域２Ｃに配された１個の第１凸部２４１を囲む接合部２３の総面積が、側部域２Ｓに配された１個の第２凸部２４２を囲む接合部２３の総面積よりも大きいことが好ましい。接合部２３の面積とは、接合部２３の輪郭で囲まれた領域の面積のことである。第１凸部２４１を囲む接合部２３は、好ましくは４個以上、更に好ましくは６個以上であり、また好ましくは２０個以下、更に好ましくは１６個以下である。第１凸部２４１を囲む接合部２３は、側部低坪量部４３に沿って排泄物を拡散させる観点から、側部低坪量部４３の長手方向に沿って長い形状となっていることが好ましい。
第２凸部２４２を囲む接合部２３は、好ましくは３個以上、更に好ましくは５個以上であり、また好ましくは１２個以下、更に好ましくは１０個以下である。
第１凸部２４１を囲む接合部２３の総面積は、好ましくは４ｍｍ２以上、更に好ましくは６ｍｍ２以上であり、また好ましくは５０ｍｍ２以下、更に好ましくは３０ｍｍ２以下である。
第２凸部２４２を囲む接合部２３の総面積は、好ましくは３ｍｍ２以上、更に好ましくは５ｍｍ２以上であり、また好ましくは２０ｍｍ２以下、更に好ましくは１５ｍｍ２以下である。
【００３３】
次に、本発明の他の実施形態を、図４、図６〜図８を参照して説明する。図４、図６〜図８に示す実施形態については、上述した実施形態と異なる構成部分を主として説明し、同様の構成部分は同一の符号を付して説明を省略する。特に説明しない構成部分は、上述した実施形態についての説明が適宜適用される。
【００３４】
図４には、本発明の吸収性物品に用いられる表面シート及び吸収性コアの別の実施形態が示されている。吸収性コア４は、幅方向Ｙに延びる複数の低坪量部４１を有している。図４に示す実施形態では、低坪量部４１が、吸収性コア４の長手方向Ｘの中央に位置し且つ幅方向Ｙに沿って延びる中央低坪量部４４と、中央低坪量部４４から長手方向Ｘの前後外方に位置し且つ幅方向Ｙに延びる一対の端部低坪量部４５，４５を備えている。中央低坪量部４４は第１の低坪量部４１であり、各端部低坪量部４５は第２の低坪量部４１である。中央低坪量部４４及び各端部低坪量部４５は、一定の幅をもって幅方向Ｙに沿って延びている。
【００３５】
図４に示す表面シート２は、中央域２Ａ及び該中央域２Ａの両側に位置する一対の端部域２Ｔ，２Ｔから構成されている。中央域２Ａは、長手方向Ｘの中央部に位置し、且つ幅方向Ｙに沿って延びている。中央域２Ａは、着用者の排泄部に対向配置される排泄部対向部に配されることが好ましい。一対の端部域２Ｔ，２Ｔは、中央域２Ａの長手方向Ｘの両端に隣接し、且つ幅方向Ｙに沿って延びている。
【００３６】
図４に示す表面シート２では、凸部２４は、中央域２Ａに配された複数の第１凸部２４１と、端部域２Ｔに配された複数の第２凸部２４２とからなる。第１凸部２４１は、相対的に大きな凸部であり、中央域２Ａに配置されている。第２凸部２４２は、相対的に小さな凸部であり、両端部域２Ｔ，２Ｔに配置されている。
【００３７】
図４に示す表面シート２において、中央域２Ａと端部域２Ｔとの境界ＩＬは、各端部低坪量部４５上に位置している。したがって、表面シート２は、これを平面視したとき、各端部低坪量部４５と重なる領域に、大きさの異なる２種の凸部である第１凸部２４１と第２凸部２４２とを有している。
【００３８】
また、表面シート２は、これを平面視したとき、中央低坪量部４４と重なる領域に、第１凸部２４１のみを有している。中央低坪量部４２と重なる領域には、個々の第１凸部２４１の全体又は一部が存在している。
【００３９】
図５は、端部低坪量部４５の位置において吸収性コア４が排泄物を吸収して膨潤した状態を示している。この状態においては、吸収性コア４の膨潤に起因して、端部低坪量部４５上に位置する表面シート２が、吸収性コア４の肌対向面に沿うように変形する。端部低坪量部４５と重なる領域には、第１凸部２４１及び第２凸部２４２が存在しているので、図５に示す状態においては、端部低坪量部４５によって画成される凹状の空間内に第１凸部２４１及び第２凸部２４２が存在することとなる。相対的に大きさの大きい第１凸部２４１は、相対的に緩やかな傾斜をもって凹状の空間内に存在する。これとは対照的に、相対的に大きさの小さい第２凸部２４２は、相対的に急峻な傾斜をもって凹状の空間内に存在する。この状態下、排泄物は、第１凸部２４１による緩やかな傾斜に沿って円滑に凹状の空間内へ誘導される。当該空間内には、相対的に急峻な傾斜をもって第２凸部２４２も存在しているので、該空間内に誘導された排泄物の該空間外への漏れ出しは、第２凸部２４２によって効果的に阻止される。以上の効果を一層顕著なものとする観点から、端部低坪量部４５を長手方向Ｘに沿って見たときに、相対的に小さい第２凸部２４２が長手方向Ｘの外方側に位置し、且つ相対的に大きい第１凸部２４１が長手方向Ｘの中央側に位置することが好ましい。このように、第１凸部２４１と第２凸部２４２とで傾斜の程度に差異があることで、端部低坪量部４５によって画成される凹状の空間内への排泄物の誘導が首尾よく行われるとともに、該空間からの排泄物の漏れ出しが効果的に抑制される。
【００４０】
長手方向Ｘ外方への漏れ防止効果を一層奏し易くする観点から、図４に示す平面視において、長手方向Ｘの端部に位置する１つの端部低坪量部４５に着目したとき、端部低坪量部４５と重なる領域に有る第１凸部２４１及び第２凸部２４２は、それらの長手方向Ｘの長さが、長手方向Ｘの外方側に位置する第２凸部２４２の方が、長手方向Ｘの中央側に位置する第１凸部２４１よりも短くなっていることが好ましい。第１凸部２４１の長手方向Ｘの長さは、好ましくは２ｍｍ以上、更に好ましくは４ｍｍ以上であり、また好ましくは１５ｍｍ以下、更に好ましくは１０ｍｍ以下である。一方、第２凸部２４２の長手方向Ｘの長さは、好ましくは１ｍｍ以上、更に好ましくは２ｍｍ以上であり、また好ましくは１０ｍｍ以下、更に好ましくは５ｍｍ以下である。中央低坪量部４４及び端部低坪量部４５それぞれにおいて、長手方向Ｘの長さは、好ましくは５ｍｍ以上、更に好ましくは７ｍｍ以上であり、また好ましくは３０ｍｍ以下、更に好ましくは１５ｍｍ以下である。
【００４１】
図６に示す実施形態では、吸収性コア４は、長手方向Ｘに延び、且つ互いに交差しない複数の低坪量部４１を有している。複数の低坪量部４１は、吸収性コア４の幅方向Ｙの中央に位置し且つ長手方向Ｘに沿って延びる中央低坪量部４６と、中央低坪量部４６から幅方向Ｙ左右外方に位置し且つ長手方向Ｘに延びる一対の側部低坪量部４７，４７とからなる。中央低坪量部４６は第１の低坪量部４１であり、各側部低坪量部４７は第２の低坪量部４１である。中央低坪量部４６と各側部低坪量部４７とは、一定の幅をもって長手方向Ｘに沿って延びている。
【００４２】
図６に示す表面シート２においては、中央域２Ｃ及び該中央域２Ｃの両側に位置する一対の側部域２Ｓ，２Ｓから構成されている。中央域２Ｃが、幅方向Ｙの中央部に位置し、且つ長手方向Ｘに沿って延びている。一対の側部域２Ｓ，２Ｓは、中央域２Ｃに隣接し且つ長手方向Ｘに沿って延びている。
【００４３】
図６に示す表面シート２では、凸部２４は、中央域２Ｃに配された複数の第１凸部２４１と、側部域２Ｓに配された複数の第２凸部２４２とを有している。中央域２Ｃに相対的に大きな第１凸部２４１が配置され、両側部域２Ｓ，２Ｓに相対的に小さな第２凸部２４２が配置されている。第１凸部２４１の幅方向の長さと第２凸部２４２の幅方向の長さは異なっており、第２凸部２４２の方が第１凸部２４１よりも短くなっている。
【００４４】
図６に示す表面シート２において、中央域２Ｃと側部域２Ｓとの境界ＩＬは、中央低坪量部４６と各側部低坪量部４７との間の位置に配されている。したがって、表面シート２は、これを平面視したとき、中央低坪量部４６と重なる領域に、相対的に大きさの大きい第１凸部２４１のみを有している。当該領域には、個々の第１凸部２４１の全体又は一部が存在している。一方、表面シート２は、各側部低坪量部４７と重なる領域に、相対的に大きさの小さい第２凸部２４２のみを有している。当該領域には、個々の第２凸部２４２の全体又は一部が存在している。このように、図６に示す実施形態では、幅方向Ｙに隣り合う中央低坪量部４６と側部低坪量部４７とに着目したとき、中央低坪量部４６と重なる領域に配されている第１凸部２４１と、側部低坪量部４７と重なる領域に配されている第２凸部２４２とで凸部の大きさが異なっている。つまり、低坪量部４１と重なる領域に大きさの異なる２種の凸部２４を有している。このように構成されている表面シート２及び吸収性コア４を備える吸収性物品によれば、排出された排泄物を吸収性コア４が吸収して膨潤すると、中央低坪量部４６によって画成される凹状の空間内に第１凸部２４１が存在することとなり、側部低坪量部４７によって画成される凹状の空間内に第２凸部２４２が存在することとなる。相対的に大きさの大きい第１凸部２４１は、相対的に緩やかな傾斜をもって凹状の空間内に存在する。これとは対照的に、相対的に大きさの小さい第２凸部２４２は、相対的に急峻な傾斜をもって凹状の空間内に存在する。この状態下、排泄物は、第１凸部２４１による緩やかな傾斜に沿って円滑に中央低坪量部４６の空間内へ誘導され易い。仮に排泄物が中央低坪量部４６の空間外へ幅方向Ｙに漏れ出したとしても、側部低坪量部４７の空間内に誘導され、漏れが防止される。仮に排泄物が側部低坪量部４７の空間内に誘導されたとしても、当該空間内には、相対的に急峻な傾斜をもって第２凸部２４２が存在しているので、該空間内に誘導された排泄物の該空間外への漏れ出しが、第２凸部２４２によって効果的に阻止される。
【００４５】
図７（ａ）〜図８（ｆ）に示す表面シート２においては、第１凸部２４１を備える中央域２Ｃは、幅方向Ｙの中央部に位置し、且つ長手方向Ｘに沿って延びている。第２凸部２４２を備える一対の側部域２Ｓ，２Ｓは、中央域２Ｃに隣接し、且つ長手方向Ｘに沿って延びている。
【００４６】
図７（ａ）に示す吸収性コア４は、肌対向面に長手方向Ｘ及び幅方向Ｙに延設された溝状の空間を有するブロック構造となっている。ブロック構造の吸収性コア４では、溝状の空間の形成位置が低坪量部４１となっており、低坪量部４１が長手方向Ｘ及び幅方向Ｙに延びて平面視格子状に形成されている。そして、その格子状に形成された低坪量部４１によって区画された複数の小領域が、高坪量部４０となっている。図７（ａ）に示す実施形態では、表面シート２の中央域２Ｃと側部域２Ｓとの境界ＩＬが、幅方向Ｙの最も外方に位置する長手方向Ｘに延びる低坪量部４１上に配されており、表面シート２における低坪量部４１と重なる領域に、大きさの異なる２種の凸部である第１凸部２４１と第２凸部２４２とを有している。
【００４７】
図７（ｂ）に示す吸収性コア４は、幅方向Ｙの左右外方に位置し且つ長手方向Ｘに延びる一対の低坪量部４１，４１を備えている。該低坪量部４１は、一定の幅をもって長手方向Ｘに沿って延びている。図７（ｂ）に示す実施形態では、表面シート２の中央域２Ｃと側部域２Ｓとの境界ＩＬが、長手方向Ｘに延びる各低坪量部４１上に配されており、表面シート２における各低坪量部４１と重なる領域に、大きさの異なる２種の凸部である第１凸部２４１と第２凸部２４２とを有している。当該領域に在る該第１凸部２４１及び該第２凸部２４２は、幅方向Ｙの長さが異なっている。詳述すると、各低坪量部４１の幅方向Ｙの外方側に位置する第２凸部２４２の幅方向Ｙの長さが、各低坪量部４１の幅方向Ｙの中央側に位置する第１凸部２４１の幅方向Ｙの長さよりも短くなっている。
【００４８】
図７（ｃ）に示す吸収性コア４の有する複数の低坪量部４１は、一定の幅をもって幅方向Ｙに沿って延び且つ長手方向Ｘに間隔を設けて配されている。図７（ｃ）に示す実施形態では、表面シート２の中央域２Ｃと側部域２Ｓとの境界ＩＬが、幅方向Ｙに延びる各低坪量部４１の幅方向Ｙの端部において交差するように配されており、表面シート２における各低坪量部４１と重なる領域に、大きさの異なる２種の凸部である第１凸部２４１と第２凸部２４２とを有している。当該領域に在る該第１凸部２４１及び該第２凸部２４２は、幅方向Ｙの長さが異なっている。詳述すると、各低坪量部４１の幅方向Ｙの外方側に位置する第２凸部２４２の幅方向Ｙの長さが、各低坪量部４１の幅方向Ｙの中央側に位置する第１凸部２４１の幅方向Ｙの長さよりも短くなっている。
【００４９】
図８（ｄ）に示す吸収性コア４は、幅方向Ｙの左右外方に位置し且つ長手方向Ｘに延びる一対の低坪量部４１，４１を備えている。そして一対の低坪量部４１，４１は、互いに対向する側の側縁が、幅方向Ｙの中央側に向かって凸の弧を描いている。図８（ｄ）に示す実施形態では、表面シート２の中央域２Ｃと側部域２Ｓとの境界ＩＬが、各低坪量部４１における前記弧を描く側縁と交差する位置に配されており、表面シート２における各低坪量部４１と重なる領域に、大きさの異なる２種の凸部である第１凸部２４１と第２凸部２４２とを有している。当該領域に在る該第１凸部２４１及び該第２凸部２４２は、幅方向Ｙの長さが異なっており、長手方向Ｘの長さも異なっている。詳述すると、各低坪量部４１の幅方向Ｙの外方側に位置する第２凸部２４２の幅方向Ｙの長さが、各低坪量部４１の幅方向Ｙの中央側に位置する第１凸部２４１の幅方向Ｙの長さよりも短くなっている。そして、各低坪量部４１の幅方向Ｙの外方側に位置する第２凸部２４２の長手方向Ｘの長さが、各低坪量部４１の幅方向Ｙの中央側に位置する第１凸部２４１の長手方向Ｘの長さよりも短くなっている。
【００５０】
図８（ｅ）に示す吸収性コア４は、幅方向Ｙの左右外方に位置し且つ長手方向Ｘに延びる一対の低坪量部４１，４１を備えている。そして一対の低坪量部４１，４１は、幅方向Ｙの中央側に向かって凸の弧を描いている。図８（ｅ）に示す実施形態では、表面シート２の中央域２Ｃと側部域２Ｓとの境界ＩＬが、長手方向Ｘに延びる各低坪量部４１の長手方向Ｘの端部において交差するように配されており、表面シート２における各低坪量部４１と重なる領域に、大きさの異なる２種の凸部である第１凸部２４１と第２凸部２４２とを有している。当該領域に在る該第１凸部２４１及び該第２凸部２４２は、幅方向Ｙの長さが異なっており、長手方向Ｘの長さも異なっている。詳述すると、各低坪量部４１の幅方向Ｙの外方側に位置する第２凸部２４２の幅方向Ｙの長さが、各低坪量部４１の幅方向Ｙの中央側に位置する第１凸部２４１の幅方向Ｙの長さよりも短くなっている。そして、各低坪量部４１の幅方向Ｙの外方側に位置する第２凸部２４２の長手方向Ｘの長さが、各低坪量部４１の幅方向Ｙの中央側に位置する第１凸部２４１の長手方向Ｘの長さよりも短くなっている。
【００５１】
図８（ｆ）に示す吸収性コア４は、長手方向Ｘ及び幅方向Ｙの中央部分から、幅方向Ｙの一側部に向かって延びる一対の低坪量部４１，４１と、幅方向Ｙの他側部に向かって延びる別の一対の低坪量部４１，４１とを備えている。一対の低坪量部４１，４１は、前記中央部分から幅方向Ｙ外方に向かうにつれて、互いの間隔が漸次広くなるように形成されている。図８（ｆ）に示す実施形態では、表面シート２の中央域２Ｃと側部域２Ｓとの境界ＩＬが、一対の低坪量部４１，４１それぞれと交差するように配されており、表面シート２における各低坪量部４１と重なる領域に、大きさの異なる２種の凸部である第１凸部２４１と第２凸部２４２とを有している。当該領域に在る該第１凸部２４１及び該第２凸部２４２は、幅方向Ｙの長さが異なっており、長手方向Ｘの長さも異なっている。詳述すると、各低坪量部４１の幅方向Ｙの外方側に位置する第２凸部２４２の幅方向Ｙの長さが、各低坪量部４１の幅方向Ｙの中央側に位置する第１凸部２４１の幅方向Ｙの長さよりも短くなっている。そして、各低坪量部４１の幅方向Ｙの外方側に位置する第２凸部２４２の長手方向Ｘの長さが、各低坪量部４１の幅方向Ｙの中央側に位置する第１凸部２４１の長手方向Ｘの長さよりも短くなっている。
【００５２】
図８（ｇ）に示す表面シート２は、複数の第１凸部２４１を備える中央域２Ａが長手方向Ｘの中央部に位置し且つ幅方向Ｙに沿って延びている。複数の第２凸部２４２を備える一対の端部域２Ｔ，２Ｔが、中央域２Ａに隣接し且つ幅方向Ｙに沿って延びている。図８（ｇ）に示す吸収性コア４は、幅方向Ｙの左右外方に位置し且つ長手方向Ｘに延びる一対の低坪量部４１，４１を備えている。該低坪量部４１は、長手方向Ｘに帯状に延びて形成されている。図８（ｇ）に示す実施形態では、表面シート２の中央域２Ａと端部域２Ｔとの境界ＩＬが、長手方向Ｘに延びる各低坪量部４１の長手方向Ｘの端部で交差するように配されており、表面シート２における各低坪量部４１と重なる領域に、大きさの異なる２種の凸部である第１凸部２４１と第２凸部２４２とを有している。当該領域に在る該第１凸部２４１及び該第２凸部２４２は、長手方向Ｘの長さが異なっている。第１凸部２４１及び第２凸部２４２は、それらの長手方向Ｘの長さが、長手方向Ｘの外方側に位置する第２凸部２４２の方が、長手方向Ｘの中央側に位置する第１凸部２４１よりも短くなっている。
【００５３】
図７（ａ）〜図８（ｇ）に示す実施形態によっても、上述した効果を奏することができる。
【００５４】
以上のような凹凸構造の表面シート２は、例えば特開２００５−１１１９０８号公報の図２に記載の装置を用いて製造することができる。この装置においては、周面が互いに噛み合い形状となっている第１ロールと第２ロールとが、噛み合い状態で配置されている。更にこの装置は、第１ロールの周面に当接するように配置されたアンビルロールを有している。この装置を用い、帯状の上層不織布２１を、第１ロールと第２ロールとの間に供給して、上層不織布２１を凹凸形状に変形させる。その後、上層不織布２１を第１ロールの周面部に沿わせて噛み合い部分から移動させた後、凹凸形状の上層不織布２１に帯状の下層不織布２２を重ね合わせるように供給して両シートを、第１ロールにおける凸部とヒートロールとの間で加熱下に挟圧する。この挟圧によって、上層不織布２１と下層不織布２２とが部分的に接合されることにより表面シート２が得られる。凸部２４が第１凸部２４１及び第２凸部２４２を有する場合には、凹凸形状に変形させる際に、例えば、上層不織布２１の幅方向の中央部と側部とで、第１ロール及び第２ロールの凹凸形状、及び第１ロールとヒートロールで形成する接合部のパターンを異ならせることにより形成できる。
【００５５】
表面シート２を構成する上層不織布２１及び下層不織布２２としては、例えばエアスルー不織布、スパンボンド不織布、スパンレース不織布、メルトブローン不織布、レジンボンド不織布、ニードルパンチ不織布などが挙げられる。これらの不織布を２種以上組み合わせた積層体や、これらの不織布とフィルム等とを組み合わせた積層体を用いることもできる。これらのなかでも、エアスルー不織布又はスパンボンド不織布を用いることが好ましい。上層不織布２１及び下層不織布２２それぞれの坪量は、好ましくは１０ｇ／ｍ２以上、より好ましくは１５ｇ／ｍ２以上であり、また好ましくは４０ｇ／ｍ２以下、より好ましくは３５ｇ／ｍ２以下である。上層不織布２１及び下層不織布２２を構成する不織布の種類は同じでもよく、あるいは異なっていてもよい。
【００５６】
また、以上のような低坪量部４１を備える吸収性コア４の製造方法としては、例えば、特開２０１３−０５９３７３号公報に記載の方法等を採用することができる。
【００５７】
本発明の吸収性物品は、上述の図１〜図２、図４、図６〜図８の実施形態に何ら制限されるものではなく、適宜変更可能である。また、上述の図１〜図２、図４、図６〜図８の実施形態における各構成要件は、本発明の趣旨を損なわない範囲で、適宜組み合わせて実施できる。
【００５８】
例えば、前記実施形態においては、吸収性コア４は、一方向に延びる複数の低坪量部４１を有しているが、一方向に延びる一の低坪量部４１のみを有していてもよい。
【００５９】
また前記実施形態においては、表面シート２として、凸部２４を多数有する上層不織布２１と略平坦な下層不織布２２との２枚の不織布を用いて凹凸構造を形成したシートであるが、１枚の不織布のみで凹凸構造を形成したシートであってもよい。また、凹凸の形状も前記実施形態に示すものに限られない。
【００６０】
前述した本発明の実施形態に関し、更に以下の吸収性物品を開示する。
＜１＞
吸収性コアと、該吸収性コアの肌対向面側に配され且つ肌対向面に凹凸構造を有する表面シートとを備え、
前記吸収性コアは、一方向に延び且つ該吸収性コアの他の部位よりも相対的に坪量の低い一又は複数の低坪量部を有し、
平面視において、前記表面シートは、前記低坪量部と重なる領域に、大きさの異なる複数種の凸部を有している、吸収性物品。
＜２＞
前記吸収性物品が着用者の前後方向に対応する長手方向及び該長手方向と直交する幅方向を有しており、
相対的に大きい凸部が幅方向の中央に相対的に小さい凸部が幅方向の両外側に位置している、前記＜１＞に記載の吸収性物品。
＜３＞
前記吸収性物品が着用者の前後方向に対応する長手方向及び該長手方向と直交する幅方向を有しており、
相対的に大きい凸部が長手方向の中央に相対的に小さい凸部が長手方向の両外側に位置している、前記＜１＞に記載の吸収性物品。
＜４＞
前記吸収性物品が着用者の前後方向に対応する長手方向及び該長手方向と直交する幅方向を有しており、
幅方向の外方側に位置する凸部の幅方向の長さが、幅方向の中央側に位置する凸部の幅方向の長さよりも短くなっている、前記＜１＞に記載の吸収性物品。
＜５＞
前記低坪量部が長手方向に延びている、前記＜４＞に記載の吸収性物品。
＜６＞
前記低坪量部は、前記吸収性コアの幅方向の中央に位置する第１の低坪量部と、第１の低坪量部から幅方向左右外方に位置する一対の第２の低坪量部とを有し、
前記各第２の低坪量部に位置する前記凸部の幅方向の長さが、前記第１の低坪量部に位置する前記凸部の幅方向の長さよりも短くなっている、前記＜５＞に記載の吸収性物品。
＜７＞
前記吸収性コアが、幅方向の左右外方に位置する一対の低坪量部を備え、
前記各低坪量部の幅方向の外方側に位置する凸部の幅方向の長さが、該各低坪量部の幅方向の中央側に位置する凸部の幅方向の長さよりも短くなっている、前記＜５＞に記載の吸収性物品。
＜８＞
前記吸収性コアが、凸の弧を描く一対の低坪量部を備え、
前記各低坪量部の幅方向の外方側に位置する凸部の幅方向の長さが、該各低坪量部の幅方向の中央側に位置する凸部の幅方向の長さよりも短くなっている、前記＜５＞に記載の吸収性物品。
＜９＞
前記表面シートが第１の凸部及び第２の凸部を含み、前記第１の凸部の幅方向の長さが、前記第２の凸部の幅方向の長さより短く、前記第２の凸部が幅方向の中央域に配置され、前記第１の凸部が該中央域の幅方向の両外側に位置する側部域に配置され、前記＜７＞〜＜８＞の何れか１に記載の吸収性物品。
＜１０＞
前記低坪量部が幅方向に延びている、前記＜４＞に記載の吸収性物品。
＜１１＞
前記低坪量部の幅方向の側部域に位置する凸部の幅方向の長さが、該低坪量部の幅方向の中央域に位置する凸部の幅方向の長さよりも短くなっている、前記＜１０＞に記載の吸収性物品。
＜１２＞
前記表面シートが第１の凸部及び第２の凸部を含み、前記第１の凸部の幅方向の長さが、前記第２の凸部の幅方向の長さより短く、前記第１の凸部が幅方向の側部域に配置され、前記第２の凸部が幅方向の中央域に配置されている、前記＜１１＞に記載の吸収性物品。
＜１３＞
前記吸収性物品が着用者の前後方向に対応する長手方向及び該長手方向と直交する幅方向を有しており、
前記低坪量部が長手方向に延びており、
前記表面シートは、前記低坪量部と重なる領域に、大きさの異なる複数種の前記凸部を有し、
長手方向の外方側に位置する凸部の長手方向の長さが、長手方向の中央側に位置する凸部の長手方向の長さよりも短くなっている、前記＜１＞に記載の吸収性物品。
＜１４＞
前記低坪量部が長手方向に延びている、前記＜１３＞に記載の吸収性物品。
＜１５＞
前記低坪量部の長手方向の端部域に位置する凸部の長手方向の長さが、該低坪量部の長手方向の中央域に位置する凸部の長手方向の長さよりも短くなっている、前記＜１４＞に記載の吸収性物品。
＜１６＞
前記表面シートが第１の凸部及び第２の凸部を含み、前記第１の凸部の長手方向の長さが、前記第２の凸部の長手方向の長さより短く、前記第１の凸部が長手方向の端部域に配置され、前記第２の凸部が長手方向の中央域に配置されている、前記＜１４＞に記載の吸収性物品。
＜１７＞
前記低坪量部が幅方向に延びている、前記＜１３＞に記載の吸収性物品。
＜１８＞
前記低坪量部は、前記吸収性コアの長手方向の中央に位置する第１の低坪量部と、第１の低坪量部から長手方向前後外方に位置する一対の第２の低坪量部とからなり、
前記各第２の低坪量部の長手方向外方側に位置する前記凸部の長手方向の長さが、前記第２の低坪量部の長手方向中央側に位置する前記凸部の長手方向の長さよりも短くなっている、前記＜１７＞に記載の吸収性物品。
＜１９＞
前記表面シートが第１の凸部及び第２の凸部を含み、前記第１の凸部の長手方向の長さが、前記第２の凸部の長手方向の長さより短く、前記第１の凸部が前記第２の低坪量部に配置され、前記第２の凸部が前記第１の低坪量部に配置されている、前記＜１８＞に記載の吸収性物品。
＜２０＞
前記吸収性物品が着用者の前後方向に対応する長手方向及び該長手方向と直交する幅方向を有しており、
前記表面シートは、幅方向中央であって且つ長手方向に延びる中央域と、該中央域に隣接し且つ長手方向に延びる一対の側部域が設けられており、
前記中央域に設けられた前記凸部の幅方向の長さは、前記側部域に設けられた前記凸部の幅方向の長さよりも長く、
前記吸収性コアが、前記幅方向に間隔を空けて、長手方向に延びる一対の前記低坪量部を有し、
前記一対の低坪量部は、長手方向中央部よりも長手方向端部の方が長く、
長手方向中央部における一対の前記低坪量部間の距離をＡとし、長手方向端部における一対の前記低坪量部間の距離をＣとし、前記中央域の幅をＢとしたとき、Ａ＜Ｂ＜Ｃの関係になる、前記＜１＞＜２＞＜３＞＜４＞＜５＞＜１０＞＜１３＞の何れか１に記載の吸収性物品。
＜２１＞
前記吸収性コアが、互いに交差しない複数の低坪量部を有し、該低坪量部が第１の低坪量部及び第２の低坪量部を有し、
前記第１の低坪量部に位置する前記凸部の幅方向の長さと前記第２の低坪量部に位置する前記凸部の幅方向の長さが異なる、前記＜１＞に記載の吸収性物品。
＜２２＞
前記表面シートが、着用状態において、着用者の肌側に位置する上層不織布と、着用者の肌から遠い側に位置する下層不織布とを接合した積層構造からなり、
前記凸部は、前記上層不織布が、該上層不織布と前記下層不織布とを接合する接合部以外の部位において該下層不織布から離間するように突出して形成されており、
相対的に大きな前記凸部を囲む前記接合部の総面積が、相対的に小さな前記凸部を囲む前記接合部の総面積よりも大きい、前記＜１＞〜＜２１＞の何れか１項に記載の吸収性物品。
【符号の説明】
【００６１】
２  表面シート
２１  上層不織布
２２  下層不織布
２３  接合部
２４  凸部
２４１  第１凸部
２４２  第２凸部
４  吸収性コア
４１  低坪量部
【図１】
2020054500.tif 000003
【図２】
2020054500.tif 000004
【図３】
2020054500.tif 000005
【図４】
2020054500.tif 000006
【図５】
2020054500.tif 000007
【図６】
2020054500.tif 000008
【図７】
2020054500.tif 000009
【図８】
2020054500.tif 000010